(57)【要約】【課題】電気光学素子の配列の曲がりを電気的に補正する。【解決手段】電気光学装置１０は、コントローラ３０とヘッドモジュール２０とを備える。ヘッドモジュール２０は、複数の電気光学素子Ｅが配列される発光部２２、駆動回路２４、および記憶部２６を備える。記憶部２６は、複数の電気光学素子のうち２つの電気光学素子を結ぶ直線である基準線に対する電気光学素子の位置の変位を示す位置ずれ補正値Ｙ[i]を記憶する。コントローラ３０のパルスデータ生成部３１は、記憶部２６から読み出した位置ずれ補正値Ｙ[i]に基づいて、各電気光学素子Ｅの駆動を開始するタイミングを調整した画像データＤ[i]を生成する。【選択図】図１
2008073904.tif 000002
【特許請求の範囲】
【請求項１】
駆動信号に応じて階調が制御される複数の電気光学素子と、
前記複数の電気光学素子のうち２つの電気光学素子を結ぶ直線で規定される基準線に対
して直交する方向に電気光学素子の位置の変位を示すずれデータを記憶した記憶手段と、
前記複数の電気光学素子に前記駆動信号を供給する駆動手段と、
前記記憶手段から読み出したずれデータに基づいて、前記各電気光学素子の駆動を開始
するタイミングを制御する制御手段と
を具備する電気光学装置。
【請求項２】
前記制御手段は、前記複数の電気光学素子の各々について、単位期間ごとに点灯あるい
は消灯を指定することにより階調を指示する画像データを、前記ずれデータに応じた前記
単位期間の開始から生成し、当該画像データを前記駆動手段に供給し、
前記駆動手段は、前記画像データに従って前記駆動信号を生成する
請求項１に記載の電気光学装置。
【請求項３】
前記複数の電気光学素子は、所定数の電気光学素子から構成される複数のブロックに分
割され、
前記ずれデータは、前記ブロックごとに設定され、
前記制御手段は、前記ブロックごとに前記各電気光学素子の駆動を開始するタイミング
を制御する
請求項１または２に記載の電気光学装置。
【請求項４】
前記ブロックごとのずれデータは、当該ブロックに属する電気光学素子について前記基
準線に対する変位の平均値を示す請求項３に記載の電気光学装置。
【請求項５】
前記複数の電気光学素子、前記駆動手段、及び前記記憶手段は、一つのモジュールに形
成されることを特徴とする請求項１乃至４のうちいずれか１項に記載の電気光学装置。
【請求項６】
請求項１乃至５のうちいずれか１項に記載の電気光学装置と、
前記複数の電気光学素子からの光によって像が形成される像担持体と、
を備える画像形成装置。
【請求項７】
請求項１乃至５のうちいずれか１項に記載の電気光学装置を備える電子機器。
【発明の詳細な説明】
【技術分野】
【０００１】
本発明は、複数の電気光学素子の配置に起因する誤差を補正する技術に関する。
【背景技術】
【０００２】
電子写真方式の画像形成装置においては、複数の発光素子が形成された光ヘッドを用い
て、各発光素子からの光をレンズアレイによって感光体ドラムに集光するころにより感光
体ドラムを露光する。
レンズアレイと発光素子との位置ずれがあるとレンズアレイを通過する光量にムラが発
生する。特許文献１には、レンズアレイを基準とする発光素子の位置ずれを検出し、検出
された位置ずれに基づいて発光素子の光量を補正する技術が開示されている。
【特許文献１】特開２００６−６２２２１号公報
【発明の開示】
【発明が解決しようとする課題】
【０００３】
ところで、光ヘッドは、その長辺片側に複数の発光素子を駆動するドライバＩＣを基板
上にＣＯＧ（Chip  On  Glass）実装することがある。この場合、ドライバＩＣは基板に
加熱して圧着する。ここで、ドライバＩＣの熱膨張は基板よりも大きいのが一般的である
。このため、図９に示すように、冷却時にドライバＩＣ７０が基板８０よりも大きく収縮
して、光ヘッド９０が距離Ｗだけ湾曲する。
この湾曲に起因して感光体ドラムに形成される像が曲がってしまい。印字品質が劣化す
る。従来の技術は、光量を補正することはできるが、像の曲がりを補正することはできな
い。
以上の事情に鑑みて、本発明は、像の曲がりを電気的に補正するといった課題の解決を
目的としている。
【課題を解決するための手段】
【０００４】
以上の課題を解決するために、本発明に係る電気光学装置は、駆動信号に応じて階調が
制御される複数の電気光学素子と、前記複数の電気光学素子のうち２つの電気光学素子を
結ぶ直線で規定されるある基準線（例えば、図２に示すＬ）に対して直交する方向に電気
光学素子の位置の変位を示すずれデータ（例えば、図１に示すＹ[i]）を記憶した記憶手
段と、前記複数の電気光学素子に前記駆動信号を供給する駆動手段と、前記記憶手段から
読み出したずれデータに基づいて、前記各電気光学素子の駆動を開始するタイミングを制
御する制御手段（例えば、図１に示す３１）とを具備する。
この発明によれば、複数の電気光学素子の位置が直線上に並んでいない場合、位置の変
位を示すずれデータに基づいて電気光学素子の駆動を開始するタイミングを制御する。こ
れによって、像担持体に形成される像を略直線上に形成することができる。この結果、印
字のずれを抑制して高品質の印刷を行うことが可能となる。
【０００５】
また、上述した電気光学装置において、前記制御手段は、前記複数の電気光学素子の各
々について、単位期間ごとに点灯あるいは消灯を指定することにより階調を指定する画像
データを、前記ずれデータに応じた前記単位期間の開始から生成し、当該画像データを前
記駆動手段に供給し、前記駆動手段は、前記画像データに従って前記駆動信号を生成する
ことが好ましい。この場合、電気光学素子はいわゆるパルス幅変調方式で駆動されるが、
階調を刻む最小の期間である単位期間と、駆動の開始タイミングの制御する期間とを一致
させることができるので、処理を大幅に簡素化することができる。
【０００６】
ここで、前記複数の電気光学素子は、所定数の電気光学素子から構成される複数のブロ
ックに分割され、前記ずれデータは、前記ブロックごとに設定され、前記制御手段は、前
記ブロックごとに前記各電気光学素子の駆動を開始するタイミングを制御することが好ま
しい。この場合には、ブロック単位で駆動の開始を制御するので、ずれデータの記憶容量
を削減することができ、さらに、駆動の開始タイミングの制御を簡素化できる。また、近
接する電気光学素子では、基準線からの変位がほぼ等しいので、ブロック単位で制御して
も、印刷結果に与える影響は少ない。
くわえて、補正の精度を向上させる観点より、前記ブロックごとのずれデータは、当該
ブロックに属する電気光学素子について前記基準線に対する変位の平均値を示すことが好
ましい。
【０００７】
また、上述した電気光学装置において、前記複数の電気光学素子、前記駆動手段、及び
前記記憶手段は、一つのモジュールに形成されることが好ましい。この場合には、電気光
学素子とずれデータを記憶する記憶手段とが一体として形成されるので、当該モジュール
を組み込んだ機器において、記憶手段からずれデータを読み出して駆動の開始を設定する
ことが可能となる。これにより、電気光学装置の汎用性を高めることができる。なお、「
モジュール」とは、交換可能に一体として構成された部品の意味であり、例えば、実施形
態のヘッドモジュール２０が該当する。
【０００８】
次に、本発明に係る画像形成装置は、上述した電気光学装置と、前記複数の電気光学素
子からの光によって像が形成される像担持体とを備えることを特徴とする。この発明によ
れば、像担持体に形成される像の直線性を向上させることができる。この場合、複数の電
気光学素子と像担持体との相対的な速度とずれデータに応じて、複数の電気光学素子から
の光によって像担持体に形成される像が略直線となるように各電気光学素子の駆動を開始
するタイミングを制御することが好ましい。なお、代表的な電気光学装置としてはプリン
タが該当する。
次に、本発明に係る電子機器は、上述した電気光学装置を備えるものであって、例えば
、ファクシミリや複写機、あるいは複合機などが該当する。
【０００９】
また、以上の各態様に係る電気光学装置を駆動する方法としても本発明は特定される。
本発明のひとつの態様に係る駆動方法は、複数の電気光学素子のうち２つの電気光学素子
を結ぶ直線である基準線に対する電気光学素子の位置の変位を示すずれデータを予め記憶
し、ずれデータに基づいて、前記各電気光学素子の駆動を開始するタイミングを制御する
。以上の方法によっても、本発明に係る電気光学装置と同様の作用および効果が奏される
。
【発明を実施するための最良の形態】
【００１０】
＜Ａ：電気光学装置＞
図１は、本発明の実施形態に係る電気光学装置の構成を示すブロック図である。電気光
学装置１０は、感光体ドラムを露光する露光装置（ラインヘッド）として電子写真方式の
画像形成装置に利用される。図１に示すように、電気光学装置１０は、所望の画像に応じ
た光線を感光体ドラムに向けて放射するヘッドモジュール２０と、上位装置７０からの指
示に応じてヘッドモジュール２０の動作を制御するコントローラ３０とを含む。ヘッドモ
ジュール２０とコントローラ３０とは、例えばフレキシブル配線基板（図示略）を介して
電気的に接続される。ヘッドモジュール２０は露光ヘッドとして機能する。上位装置７０
は、例えば画像形成装置のＣＰＵや画像形成装置に画像の形成を指示する情報処理装置（
例えばパーソナルコンピュータ）である。
【００１１】
ヘッドモジュール２０は、発光部２２と駆動回路２４と記憶部２６とＩ／Ｆ（インタフ
ェース）回路２８とを具備する。発光部２２は、主走査方向に沿って単列に配列するｎ個
（ｎは自然数）の電気光学素子Ｅを含む。本実施形態の電気光学素子Ｅは、相互に対向す
る陽極と陰極との間に有機ＥＬ（Electroluminescence）材料の発光層が介在する有機発
光ダイオード素子である。
図２に電気光学素子Ｅの配置を示す。この例では、ｎ個の電気光学素子がｍ個のブロッ
クＢ１〜Ｂｍに分割されており、各ブロックＢ１〜Ｂｍはｋ個の電気光学素子Ｅを備える
。但し、ｍおよびｋは２以上の自然数である。また、ｎ個の電気光学素子Ｅのうち２つの
電気光学素子（この例では両端の電気光学素子）を結ぶ直線を基準線Ｌとしたとき、基準
線Ｌに対して直交する電気光学素子Ｅの位置の変位をずれ量Ｚとする。
【００１２】
駆動回路２４は、各電気光学素子Ｅを駆動する手段であり、各々が別個の電気光学素子
Ｅに対応するｎ個の単位回路Ｕを含む。この例の単位回路Ｕは、定電流源とスイッチング
用のトランジスタとから構成される。トランジスタのオン・オフを制御することによって
、電気光学素子Ｅの階調が刻まれる。なお、駆動回路２４は、ひとつまたは複数のＩＣチ
ップで構成されてもよいし、各電気光学素子Ｅとともに基板の表面に形成された多数の能
動素子（例えば半導体層が低温ポリシリコンで形成された薄膜トランジスタ）で構成され
てもよい。Ｉ／Ｆ回路２８は、駆動回路２４とコントローラ３０との間で授受される情報
を中継する。
【００１３】
第ｉ段目（ｉは１≦ｉ≦ｎを満たす整数）の単位回路Ｕは、駆動信号ＤＲiを生成して
第ｉ段目の電気光学素子Ｅに出力する。図３は、駆動信号ＤＲiの波形を例示するタイミ
ングチャートである。同図の水平走査期間Ｈは、画像の１行分について感光体ドラムを露
光する（すなわち当該行の画像に対応した潜像が形成される）単位となる期間である。駆
動信号ＤＲiは、ひとつの水平走査期間Ｈのうち第ｉ段目の電気光学素子Ｅに指定された
階調に応じた期間（以下「駆動期間」という）ＴDRにて駆動電流ＩDR（駆動レベル）を維
持し、当該水平走査期間Ｈの残余の期間にて電流値がゼロ（非駆動レベル）となる電流信
号である。
【００１４】
図３に示すように、ひとつの水平走査期間Ｈは８個の単位期間Ｓ（Ｓ1〜Ｓ8）に分割さ
れる。単位期間Ｓは、駆動期間ＴDRの時間長の変化の単位（刻み幅）となる期間である。
例えば、図３に例示された駆動信号ＤＲiは、単位期間Ｓの５個分を駆動期間ＴDRとして
指定する。
【００１５】
図１の記憶部２６は、ｎ個の電気光学素子Ｅについて光量補正値Ｘ[1]〜Ｘ[n]およびｍ
個のブロックＢについて位置ずれ補正値Ｙ[1]〜Ｙ[m]を記憶する手段である。ＥＥＰＲＯ
Ｍ（Electrically Erasable Programmable Read-Only Memory）などの不揮発性のメモリ
が記憶部２６として好適に採用される。光量補正値Ｘ[i]は、駆動信号ＤＲiの駆動電流Ｉ
DRの電流値を設定する（すなわち各電気光学素子Ｅの階調を補正する）ための数値である
。位置ずれ補正値Ｙ[1]〜Ｙ[m]は、上述したずれ量Ｚを計測して生成され、各駆動信号Ｘ
を生成するタイミングを設定するための数値である。位置ずれ補正値Ｙに基づいて各電気
光学素子Ｅの駆動を開始するタイミングが制御される。
【００１６】
位置ずれ補正値ＹをブロックＢごとに設定したのは、近接する電気光学素子Ｅではずれ
量Ｚが略一致し、印刷した場合に線の曲がりが問題とならないからである。ｆ（ｆは１≦
ｆ≦ｍを満たす整数）番目のブロックＢｆに対応する位置ずれ補正値Ｙ[f]は、ブロック
Ｂｆに属するｋ個の電気光学素子Ｅのずれ量Ｚを代表する値に基づいて生成すればよい。
例えば、ブロックＢｆの中心に位置する電気光学素子Ｅのずれ量Ｚに対応するものであっ
てもよい。尤も、ブロックＢｆに属するｋ個の電気光学素子Ｅのずれ量Ｚの平均値とする
ことで補正の精度を向上させることができる。
【００１７】
記憶部２６のデータ構造を図４（Ａ）に示す。この例では、光量補正値Ｘと位置ずれ補
正値Ｙとを異なる記憶領域に記憶する。なお、ブロックＢに含まれる電気光学素子Ｅの個
数を「１」とした場合、即ち、ｎ個の電気光学素子Ｅの各々について位置ずれ補正値Ｙ[1
]〜Ｙ[m]を記憶してもよい。この場合、記憶部２６のデータ構造は図４（Ｂ）に示すもと
なる。ここで、光量補正値Ｘ[i]と位置ずれ補正値Ｙ[i]とを１個の補正データとして１つ
の記憶領域に格納してもよい。例えば、補正データの上位３ビットに光量補正値Ｘ[i]を
割り当て、下位３ビットに位置ずれ補正値Ｙ[i]を割り当ててもよい。
【００１８】
光量補正値Ｘと位置ずれ補正値Ｙとは、電気光学装置１０を製造する工程にて記憶部２
６に書き込まれる。電気光学装置１０の電源が投入されると、光量補正値Ｘおよび位置ず
れ補正値Ｙが記憶部２６から読み出されてコントローラ３０に供給される。光量補正値Ｘ
[1]〜Ｘ[n]は、同階調が指定された場合の各電気光学素子Ｅの実際の光出力パワー（発光
量）が所定の範囲内に収まるように（理想的には均一化されるように）、各電気光学素子
Ｅの特性を測定した結果に応じて選定される。一方、位置ずれ補正値Ｙは、各電気光学素
子Ｅが発光することによって感光体ドラム上に形成される潜像の位置が所定の範囲内に収
まるように（理想的には直線となるいように）選定される。
【００１９】
コントローラ３０は、パルスデータ生成部３１とＲＡＭ３３とを具備する。パルスデー
タ生成部３１は、コントローラ３０の全体を制御する手段である。パルスデータ生成部３
１は、電気光学装置１０の電源が投入されると、パルスデータ生成部３１は光量補正処理
、位置ずれ補正処理、及び画像データ転送処理を実行する。光量補正処理は、駆動信号Ｘ
1〜Ｘnの各々に使用される駆動電流ＩDRの電流値をＲＡＭ３３内の光量補正値Ｘ[1]〜Ｘ[
n]に基づいて設定する処理である。より具体的には、記憶部２６に記憶された光量補正値
Ｘ[1]〜Ｘ[n]をＲＡＭ３３に読み込んだうえで、駆動電流ＩDRの電流値の初期値Ｉ0と光
量補正値Ｘ[i]との乗算値に応じて設定値Ｃ[i]を算定する。設定値Ｃ[i]は８ビットのデ
ジタルデータである。ここで、設定値Ｃ[i]の各ビットは、図３に示す各単位期間Ｓ１〜
Ｓ８において、「１」又は「０」を指定する。これにより、階調０から階調８を指定する
ことができる。例えば、階調５を指定するＣ[i]は、図３に示すように単位期間Ｓ１〜Ｓ
５において「１」となり、単位期間Ｓ６〜Ｓ８において「０」となる。
【００２０】
次に、パルスデータ生成部３１は、位置ずれ補正処理において、ブロックごとに設定さ
れた位置ずれ補正値Ｙ[1]〜Ｙ[m]に応じたタイミングでＲＡＭ３３から設定値Ｃ[i]を読
み出して画像データＤ[i]としてヘッドモジュール２０に転送する。例えば、ブロック数
ｍが「１２」であり、位置ずれ量Ｚが図５に示すものであった場合を想定する。この例で
は、ブロックＢ１〜Ｂ１２に対応する位置ずれ補正値Ｙ[1]〜Ｙ[12]は、「０」〜「８」
にグレーディングされる。
【００２１】
ここで、１個のブロックが６個の電気光学素子Ｅで構成され、ある水平走査期間Ｈにお
いてブロックＢ３及びＢ４の設定値Ｃが図６の上部に示すものである場合、パルスデータ
生成部３１は位置ずれ補正値Ｙ[3]＝２に基づいて、ブロックＢ３については２個の単位
期間だけ遅らせてＲＡＭ３３から設定値Ｃ[i]を読み出して画像データＤ[i]を生成する。
また、パルスデータ生成部３１は位置ずれ補正値Ｙ[4]＝５に基づいて、ブロックＢ４に
ついては５個の単位期間だけ遅らせてＲＡＭ３３から設定値Ｃ[i]を読み出して画像デー
タＤ[i]を生成する。画像データＤ[i]は単位期間Ｓごとに点灯・消灯を指定する。そして
、パルスデータ生成部３１は、位置ずれ補正値Ｙに応じた単位期間の開始から画像データ
Ｄ[i]を生成する。
【００２２】
図７に位置ずれ量を計測する計測システムのブロック図を示す。この図に示すように、
計測システム１００は、基準台５１と、その上面に固定された電動Ｘ軸ステージ５２とを
備える。電動Ｘステージ５２は、計測用のコンピュータ６０からの指令に従ってＸ方向に
サンプルホルダ５３を移動できるようになっている。サンプルホルダ５３には計測の対象
となるヘッドモジュール２０が固定される。また、ヘッドモジュール２０の上部には、対
物レンズ５４とＣＣＤカメラ５５が配置される。ＣＣＤカメラ５５で撮像された画像情報
はコンピュータ６０に出力される。コンピュータ６０は、画像情報を解析して各電気光学
素子Ｅの位置ずれ量Ｚを計測し、これに基づいて位置ずれ補正値Ｙを生成する。また、コ
ンピュータ６０は画像情報に基づいて各電気光学素子Ｅの光量補正値Ｘを生成する。この
ようにして生成された光量補正値Ｘおよび位置ずれ補正値Ｙはヘッドモジュール２０の記
憶部２６に書き込まれる。
【００２３】
本実施形態によれば、記憶部２６から読み出した位置ずれ補正値Ｙ[i]に基づいて、各
電気光学素子Ｅの駆動を開始するタイミングを制御するので、複数の電気光学素子Ｅから
の光が略直線上に並ぶようになる。これによって、ヘッドモジュール２０の湾曲を電気的
に補正することができ、印字品質を大幅に向上させることができる。
記憶部２６を補正の対象となる発光部２２と一体化したヘッドモジュール２０に設けた
ので、ヘッドモジュール２０の汎用性、ひいては電気光学装置１０の汎用性を高めること
ができる。すなわち、ヘッドモジュール２０にそこに使用される電気光学素子Ｅの位置ず
れ補正値Ｙが予め記憶されているので、これを読み出すだけで位置ずれ量Ｚを把握するこ
とができる。例えば、ヘッドモジュール２０が故障してこれを交換しても、位置ずれ補正
値Ｙがヘッドモジュール２０の内部に記憶されているので、直ちに動作させることが可能
である。
さらに、位置ずれ補正値Ｙ[i]をブロック単位で記憶するようにしたので、記憶部２６
の記憶容量を削減することが可能となる。くわえて、階調は単位期間ごとに電気光学素子
Ｅを点灯するか消灯するかによって刻まれるが、これと、位置ずれ補正値Ｙによる駆動を
開始するタイミングをシフトする単位とを一致させたので、処理を大幅に簡素化できる。
【００２４】
＜Ｂ．変形例＞
本発明は、上述した実施形態に限定されるものではなく、例えば、以下の変形が可能で
ある。
（１）上述した実施形態においては、パルスデータ生成部３１において、位置ずれ補正値
Ｙ[i]を考慮して各電気光学素子Ｅの発光タイミングを補正した画像データＤ[i]を生成し
たが、駆動回路２４に位置ずれの補正機能を持たせてもよい。例えば、駆動回路２４がブ
ロックごとに指定されるパルス位置データに従って、ブロックに属する電気光学素子Ｅの
発光タイミングを制御してもよい。
【００２５】
より具体的には、コントローラ３０のパルスデータ生成部３１は、電源が投入された直
後に、ヘッドモジュール２０に設けられた記憶部２６から位置ずれ補正値Ｙ[i]を読み出
して、これに基づいてブロックごとに発光タイミングを指定するパルス位置データを生成
し、ヘッドモジュール２０に転送する。駆動回路２４はＩ／Ｆ回路２８を介して供給され
るパルス位置データに応じて、ブロックごとに画像データＤ[i]の遅延時間を設定する。
そして、コントローラ３０から画像データＤ[i]が供給されると、駆動回路２４は設定さ
れた遅延時間に従って画像データＤ[i]を遅延させて駆動信号Ｘiを生成すればよい。
【００２６】
（２）上述した実施形態では、電気光学素子Ｅが単列で配列されることとしたが、本発明
はこれに限定されるのではなく、複数の列に電気光学素子Ｅを配列してもよい。この場合
には、列ごとに位置ずれ補正値Ｙ[I]を設定し、これに基づいて発光タイミングを制御す
ればよい。また、上述した実施形態では、ヘッドモジュール２０と感光体ドラムとの間に
配置される集光レンズを省略して説明したがこれを用いて、電気光学素子Ｅからの光を感
光体ドラムの表面に集光させてもよいことは勿論である。集光レンズを用いる場合には、
集光レンズの取り付け誤差により、光軸のずれや光軸の倒れが生じることがある。この取
り付け誤差を上述した位置ずれ補正値Ｙに反映させることによって、取り付け誤差も含め
て補正することが可能となる。
【００２７】
（３）有機発光ダイオード素子は電気光学素子の例示に過ぎない。本発明に適用される電
気光学素子について、自身が発光する自発光型と外光の透過率を変化させる非発光型（例
えば液晶素子）との区別や、電流の供給によって駆動される電流駆動型と電圧の印加によ
って駆動される電圧駆動型との区別は不問である。例えば、無機ＥＬ素子、フィールド・
エミッション（ＦＥ）素子、表面導電型エミッション（ＳＥ：Surface-conduction Elect
ron-emitter）素子、弾道電子放出（ＢＳ：Ballistic electron Surface emitting）素子
、ＬＥＤ（Light Emitting Diode）素子、液晶素子、電気泳動素子、エレクトロクロミッ
ク素子など様々な電気光学素子を本発明に利用することができる。
【００２８】
＜Ｃ：応用例＞
本発明に係る電気光学装置を利用した電子機器（画像形成装置）の具体的な形態を説明
する。
図１２は、以上の形態に係る電気光学装置１０を採用した画像形成装置の構成を示す断
面図である。画像形成装置は、タンデム型のフルカラー画像形成装置である。
この画像形成装置では、同様な構成の４個の有機ＥＬアレイ露光ヘッド１０Ｋ，１０Ｃ
，１０Ｍ，１０Ｙが、同様な構成である４個の感光体ドラム（像担持体）１１０Ｋ，１１
０Ｃ，１１０Ｍ，１１０Ｙの露光位置にそれぞれ配置されている。有機ＥＬアレイ露光ヘ
ッド１０Ｋ，１０Ｃ，１０Ｍ，１０Ｙは、以上に例示した何れかの態様に係るヘッドモジ
ュール２０である。
【００２９】
図８に示すように、この画像形成装置には、駆動ローラ１２１と従動ローラ１２２とが
設けられており、これらのローラ１２１，１２２には無端の中間転写ベルト１２０が巻回
されて、矢印に示すようにローラ１２１，１２２の周囲を回転させられる。図示しないが
、中間転写ベルト１２０に張力を与えるテンションローラなどの張力付与手段を設けても
よい。
【００３０】
この中間転写ベルト１２０の周囲には、外周面に感光層を有する４個の感光体ドラム１
１０Ｋ，１１０Ｃ，１１０Ｍ，１１０Ｙが互いに所定の間隔をおいて配置される。添え字
Ｋ，Ｃ，Ｍ，Ｙはそれぞれ黒、シアン、マゼンタ、イエローの顕像を形成するために使用
されることを意味している。他の部材についても同様である。感光体ドラム１１０Ｋ，１
１０Ｃ，１１０Ｍ，１１０Ｙは、中間転写ベルト１２０の駆動と同期して回転駆動される
。
【００３１】
各感光体ドラム１１０（Ｋ，Ｃ，Ｍ，Ｙ）の周囲には、コロナ帯電器１１１（Ｋ，Ｃ，
Ｍ，Ｙ）と、有機ＥＬアレイ露光ヘッド１０（Ｋ，Ｃ，Ｍ，Ｙ）と、現像器１１４（Ｋ，
Ｃ，Ｍ，Ｙ）が配置されている。コロナ帯電器１１１（Ｋ，Ｃ，Ｍ，Ｙ）は、対応する感
光体ドラム１１０（Ｋ，Ｃ，Ｍ，Ｙ）の外周面を一様に帯電させる。有機ＥＬアレイ露光
ヘッド１０（Ｋ，Ｃ，Ｍ，Ｙ）は、感光体ドラムの帯電させられた外周面に静電潜像を書
き込む。各有機ＥＬアレイ露光ヘッド１０（Ｋ，Ｃ，Ｍ，Ｙ）は、複数の発光素子４００
の配列方向が感光体ドラム１１０（Ｋ，Ｃ，Ｍ，Ｙ）の母線（主走査方向）に沿うように
設置される。静電潜像の書き込みは、上記の複数の電気光学素子Ｅによって感光体ドラム
に光を照射することにより行う。現像器１１４（Ｋ，Ｃ，Ｍ，Ｙ）は、静電潜像に現像剤
としてのトナーを付着させることにより感光体ドラムに顕像すなわち可視像を形成する。
【００３２】
このような４色の単色顕像形成ステーションにより形成された黒、シアン、マゼンタ、
イエローの各顕像は、中間転写ベルト１２０上に順次一次転写されることにより、中間転
写ベルト１２０上で重ね合わされ、この結果としてフルカラーの顕像が得られる。中間転
写ベルト１２０の内側には、４つの一次転写コロトロン（転写器）１１２（Ｋ，Ｃ，Ｍ，
Ｙ）が配置されている。一次転写コロトロン１１２（Ｋ，Ｃ，Ｍ，Ｙ）は、感光体ドラム
１１０（Ｋ，Ｃ，Ｍ，Ｙ）の近傍にそれぞれ配置されており、感光体ドラム１１０（Ｋ，
Ｃ，Ｍ，Ｙ）から顕像を静電的に吸引することにより、感光体ドラムと一次転写コロトロ
ンの間を通過する中間転写ベルト１２０に顕像を転写する。
【００３３】
最終的に画像を形成する対象としてのシート１０２は、ピックアップローラ１０３によ
って、給紙カセット１０１から１枚ずつ給送されて、駆動ローラ１２１に接した中間転写
ベルト１２０と二次転写ローラ１２６の間のニップに送られる。中間転写ベルト１２０上
のフルカラーの顕像は、二次転写ローラ１２６によってシート１０２の片面に一括して二
次転写され、定着部である定着ローラ対１２７を通ることでシート１０２上に定着される
。この後、シート１０２は、排紙ローラ対１２８によって、装置上部に形成された排紙カ
セット上へ排出される。
タンデム型の画像形成装置において、有機ＥＬアレイ露光ヘッド１０Ｋ，１０Ｃ，１０
Ｍ，１０Ｙによって印字される直線が曲がると、色ずれが発生する。本実施形態では、印
字の曲がりを電気的に補正することができるので、色ずれを抑制して印刷品質を大幅に向
上させることができる。
【図面の簡単な説明】
【００３４】
【図１】実施形態に係る電気光学装置の構成を示すブロック図である。
【図２】電気光学素子の位置ずれ量を説明するための説明図である。
【図３】駆動信号の波形を例示するタイミングチャートである。
【図４】記憶部の記憶内容を示す説明図である。
【図５】位置ずれ補正値の一例を示す説明図である。
【図６】位置ずれ補正値に基づく画像データの補正を説明するための概念図である。
【図７】位置ずれ補正値を計測する計測システムのブロック図である。
【図８】電子機器のひとつの形態（画像形成装置）を示す断面図である。
【図９】光ヘッドの湾曲を説明するための平面図である。
【符号の説明】
【００３５】
Ｈ……電気光学装置、２０……ヘッドモジュール、２２……発光部、Ｅ……電気光学素子
、２４……駆動回路、Ｕ……単位回路、２６……記憶部、２８……Ｉ／Ｆ回路、３０……
コントローラ、３１……パルスデータ生成部、３３……ＲＡＭ。
【図１】
2008073904.tif 000003
【図２】
2008073904.tif 000004
【図３】
2008073904.tif 000005
【図４】
2008073904.tif 000006
【図５】
2008073904.tif 000007
【図６】
2008073904.tif 000008
【図７】
2008073904.tif 000009
【図８】
2008073904.tif 000010
【図９】
2008073904.tif 000011